(57)【特許請求の範囲】
【請求項１】
交流電源と接続される照明器具であって、
第１光源と、
第２光源と、
前記交流電源に接続される第１スイッチと、
前記交流電源に接続される第２スイッチと、
前記第１スイッチを介して前記交流電源に接続され、前記交流電源に基づいて直流電力を前記第１光源に供給する第１電力供給部と、
前記第２スイッチを介して前記交流電源に接続され、前記交流電源に基づいて直流電力または交流電力を前記第２光源に供給する第２電力供給部と、
所定の切替操作に基づいて、前記第１スイッチおよび前記第２スイッチの少なくとも一方が導通するように制御する制御部と
を備え、
前記制御部は、外部スイッチによって前記交流電源からの交流電力の供給が一時的に停止された時間が所定時間範囲内であるか否かに基づいて、前記所定の切替操作が行われたか否かを判定し、
前記制御部は、
前記所定の切替操作の回数を示す切替回数をカウントし、前記所定の切替操作が行われてからの前記外部スイッチが導通している時間を示す外部スイッチ導通時間を計時し、
前記外部スイッチ導通時間が連続判定期間以内であり、かつ前記所定の切替操作が行われたと判定した場合、前記切替回数を１つ増加し、
前記切替回数が所定の連続回数以上であるか否かに基づいて、初期化操作が行われたか否かを判定し、前記初期化操作が行われたと判定した場合、前記第１光源および前記第２光源の点灯状態を初期化して所定の点灯状態になるように制御する、照明器具。
【請求項２】
前記制御部は、前記所定の切替操作が行われる度に、前記第１スイッチのみが導通する第１導通状態および前記第２スイッチのみが導通する第２導通状態に前記第１スイッチおよび前記第２スイッチの導通状態を切り替える、請求項１に記載の照明器具。
【請求項３】
前記外部スイッチにより点灯および消灯を切り替え可能な照明器具であって、
前記制御部は、前記外部スイッチによって前記交流電源からの交流電力の供給が一時的に停止された時間が所定時間範囲内であるか否かに基づいて、前記所定の切替操作が行われたか否かを判定する、請求項１または請求項２に記載の照明器具。
【請求項４】
リモートコントローラからの点灯状態切替信号を受信する受信部をさらに備え、
前記制御部は、前記受信部が受信した前記点灯状態切替信号に基づいて、前記所定の切替操作が行われたか否かを判定する、請求項１から請求項３のいずれか１項に記載の照明器具。
【請求項５】
前記制御部は、起動時の点灯状態を示す起動情報を記憶する記憶部を有し、
消灯から点灯に切り替える際、前記制御部は、前記起動情報に基づいて前記第１スイッチおよび前記第２スイッチの少なくとも一方が導通するように制御する、請求項１から請求項４のいずれか１項に記載の照明器具。
【請求項６】
請求項１から請求項５のいずれか１項に記載の照明器具を複数備える、照明システム。
【請求項７】
前記外部スイッチをさらに備え、
前記外部スイッチは、前記照明器具の点灯および消灯を切り替え、
前記外部スイッチ導通時間が前記連続判定期間以上になった場合、前記制御部は前記切替回数をリセットする、請求項６に記載の照明システム。
【発明の詳細な説明】
【技術分野】
【０００１】
本発明は、照明器具および照明システムに関する。
【背景技術】
【０００２】
従来、２つの光源を備え、点灯する光源を切り替えることが可能な照明器具が知られている。特許文献１に記載の照明器具では、照明の電源スイッチをオンからオフに切り替えた後、短時間で再びオンに切り替えることによって、第１光源と第２光源とのいずれか一方の光源が点灯するように点灯状態を切り替えることができる。
【先行技術文献】
【特許文献】
【０００３】
【特許文献１】特開２０１０−２８２７５７号公報
【発明の概要】
【発明が解決しようとする課題】
【０００４】
しかしながら、特許文献１に記載の照明器具では、１つの直流電源で第１光源と第２光源とに電力を供給しているため、各光源に対応した電力を供給することができなかった。
【０００５】
本発明は上記課題に鑑みてなされたものであり、その目的は各光源に対応した電力を供給することができる照明器具および照明システムを提供することにある。
【課題を解決するための手段】
【０００６】
本願に開示する照明器具は、交流電源と接続される。前記照明器具は、第１光源と、第２光源と、第１スイッチと、第２スイッチと、第１電力供給部と、第２電力供給部と、制御部とを備える。前記第１スイッチは、前記交流電源に接続される。前記第２スイッチは、前記交流電源に接続される。前記第１電力供給部は、前記第１スイッチを介して前記交流電源に接続される。前記第１電力供給部は、前記交流電源に基づいて直流電力を前記第１光源に供給する。前記第２電力供給部は、前記第２スイッチを介して前記交流電源に接続される。前記第２電力供給部は、前記交流電源に基づいて直流電力または交流電力を前記第２光源に供給する。前記制御部は、所定の切替操作に基づいて、前記第１スイッチおよび前記第２スイッチの少なくとも一方が導通するように制御する。前記制御部は、外部スイッチによって前記交流電源からの交流電力の供給が一時的に停止された時間が所定時間範囲内であるか否かに基づいて、前記所定の切替操作が行われたか否かを判定する。前記制御部は、前記所定の切替操作の回数を示す切替回数をカウントする。前記制御部は、前記所定の切替操作が行われてからの前記外部スイッチが導通している時間を示す外部スイッチ導通時間を計時する。前記制御部は、前記外部スイッチ導通時間が連続判定期間以内であり、かつ前記所定の切替操作が行われたと判定した場合、前記切替回数を１つ増加する。前記制御部は、前記切替回数が所定の連続回数以上であるか否かに基づいて、初期化操作が行われたか否かを判定し、前記初期化操作が行われたと判定した場合、前記第１光源および前記第２光源の点灯状態を初期化して所定の点灯状態になるように制御する。
【０００７】
本願に開示する照明器具において、前記制御部は、前記所定の切替操作が行われる度に、第１導通状態および第２導通状態に前記第１スイッチおよび前記第２スイッチの導通状態を切り替えることが好ましい。前記第１導通状態では、前記第１スイッチのみが導通することが好ましい。前記第２導通状態では、前記第２スイッチのみが導通することが好ましい。
【０００８】
本願に開示する照明器具において、前記照明器具は、前記外部スイッチで点灯および消灯を切り替え可能であることが好ましい。前記制御部は、前記外部スイッチによって前記交流電源からの交流電力の供給が一時的に停止された時間が所定時間範囲内であるか否かに基づいて、前記所定の切替操作が行われたか否かを判定することが好ましい。
【０００９】
本願に開示する照明器具において、リモートコントローラからの点灯状態切替信号を受信する受信部をさらに備えることが好ましい。前記制御部は、前記受信部が受信した前記点灯状態切替信号に基づいて、前記所定の切替操作が行われたか否かを判定することが好ましい。
【００１０】
本願に開示する照明器具において、前記制御部は、起動時の点灯状態を示す起動情報を記憶する記憶部を有することが好ましい。消灯から点灯に切り替える際、前記制御部は、前記起動情報に基づいて前記第１スイッチおよび前記第２スイッチの少なくとも一方が導通するように制御することが好ましい。
【００１１】
本願に開示する照明システムは、上記に記載の照明器具を複数備える。
【００１３】
本願に開示する照明システムにおいて、前記照明システムは、前記外部スイッチをさらに備えることが好ましい。前記外部スイッチは、前記照明器具の点灯および消灯を切り替えることが好ましい。前記外部スイッチ導通時間が前記連続判定期間以上になった場合、前記制御部は前記切替回数をリセットすることが好ましい。
【発明の効果】
【００１５】
本発明の照明器具は、各光源に対応した電力を供給することができる。
【図面の簡単な説明】
【００１６】
【図１】本発明の実施形態１に係る照明器具のブロック図である。
【図２】本発明の実施形態２に係る照明器具のブロック図である。
【図３】本発明の実施形態３に係る照明器具のブロック図である。
【図４】本発明の実施形態４に係る照明システムのブロック図である。
【図５】本発明の実施形態４に係る照明システムの初期化方法を示すフローチャートである。
【図６】（ａ）および（ｂ）は、照明システムの入力電圧を示すタイムチャートである。
【発明を実施するための形態】
【００１７】
以下、本発明の実施形態について、図面を参照しながら説明する。なお、図中、同一または相当部分については同一の参照符号を付して説明を繰り返さない。
【００１８】
［実施形態１］
図１を参照して、本発明の実施形態１に係る照明器具１０について説明する。図１は、本発明の実施形態１に係る照明器具１０のブロック図である。
【００１９】
照明器具１０は、例えば、ペンダントライトのような吊下げ灯、シーリングライトのような天井直付け灯、ダウンライトのような埋め込み灯、またはブラケットライトのような壁直付け灯である。照明器具１０は、外部スイッチ５２を介して交流電源５４に接続される。外部スイッチ５２は、例えば壁スイッチである。照明器具１０は、外部スイッチ５２によって点灯および消灯を切り替えることができる。具体的には、外部スイッチ５２がオンになると、交流電源５４から電力が照明器具１０に供給され、照明器具１０は点灯する。また、外部スイッチ５２がオフになると、交流電源５４から照明器具１０に供給される電力が遮断され、照明器具１０は消灯する。
【００２０】
照明器具１０は、第１スイッチ１１０と、第２スイッチ２１０と、第１電力供給部１２０と、第２電力供給部２２０と、第１光源１３０と、第２光源２３０と、制御部４０とを備える。
【００２１】
第１スイッチ１１０は、交流電源５４に接続される。第１スイッチ１１０は、第１電力供給部１２０よりも前段に設けられる。第１スイッチ１１０は、例えば、リレースイッチである。なお、第１スイッチ１１０は、リレースイッチに限らず、トライアックなど半導体スイッチであってもよい。第１スイッチ１１０は、コイル１１２とスイッチ１１４とを有する。コイル１１２は、制御部４０と電気的に接続する。本実施形態では、第１スイッチ１１０はノーマリー・オープン型であり、制御部４０がコイル１１２に電流を流すことで、スイッチ１１４が閉じる。よって、第１スイッチ１１０は、スイッチ１１４が閉じることで（オン状態となることで）、導通状態となる。また、第１スイッチ１１０は、スイッチ１１４が開くことで（オフ状態となることで）、非導通状態となる。なお、ノーマリー・クローズ型のリレースイッチが使用されてもよい。この場合、制御部４０がコイル１１２に電流を流すことで、スイッチ１１４が開く。
【００２２】
第２スイッチ２１０は、交流電源５４に接続される。第２スイッチ２１０は、例えば、リレースイッチである。なお、第２スイッチ２１０は、リレースイッチに限らず、トライアックなど半導体スイッチであってもよい。第２スイッチ２１０は、第２電力供給部２２０よりも前段に設けられる。第２スイッチ２１０は、コイル２１２とスイッチ２１４とを有する。コイル２１２は、制御部４０と電気的に接続する。本実施形態では、第２スイッチ２１０はノーマリー・オープン型であり、制御部４０がコイル２１２に電流を流すことで、スイッチ２１４が閉じる。よって、第２スイッチ２１０は、スイッチ２１４が閉じることで（オン状態となることで）、導通状態となる。また、第２スイッチ２１０は、スイッチ２１４が開くことで（オフ状態となることで）、非導通状態となる。なお、ノーマリー・クローズ型のリレースイッチが使用されてもよい。この場合、制御部４０がコイル２１２に電流を流すことで、スイッチ２１４が開く。
【００２３】
第１電力供給部１２０は、第１スイッチ１１０を介して交流電源５４に接続される。第１電力供給部１２０は、交流電源５４に基づいて直流電力を第１光源１３０に供給する。第１電力供給部１２０は、第１整流回路１２２と、第１平滑回路１２４と、第１直流電源１２６とを有する。第１整流回路１２２は、交流電源５４から供給された交流電圧を整流する。第１平滑回路１２４は、第１整流回路１２２の出力を平滑化する。第１整流回路１２２および第１平滑回路１２４により、交流電源５４から供給された交流電圧が直流電圧に変換される。直流電圧は、第１直流電源１２６に入力される。
【００２４】
第２電力供給部２２０は、第２スイッチ２１０を介して交流電源５４に接続される。第２電力供給部２２０は、交流電源５４に基づいて直流電力を第２光源２３０に供給する。第２電力供給部２２０は、第２整流回路２２２と、第２平滑回路２２４と、第２直流電源２２６とを有する。第２整流回路２２２は、交流電源５４から供給された交流電圧を整流する。第２平滑回路２２４は、第２整流回路２２２の出力を平滑化する。第２整流回路２２２および第２平滑回路２２４により、交流電源５４から供給された交流電圧が直流電圧に変換される。直流電圧は、第２直流電源２２６に入力される。
【００２５】
第１直流電源１２６は、第１光源１３０に接続される。第１直流電源１２６は、第１光源１３０に一定の電力を供給する。具体的には、第１直流電源１２６は、第１平滑回路１２４の出力（直流電圧）に基づいて定電流を生成し、一定の電流を第１光源１３０に供給する。
【００２６】
第２直流電源２２６は、第２光源２３０に接続される。第２直流電源２２６は、第２光源２３０に一定の電力を供給する。具体的には、第２直流電源２２６は、第２平滑回路２２４の出力（直流電圧）に基づいて定電流を生成し、一定の電流を第２光源２３０に供給する。
【００２７】
第１光源１３０は、第１光色を有する。第１光色は、例えば、相関色温度２７００ケルビン（暖色）である。第１光源１３０は、１つまたは複数の発光素子を含む。発光素子は、例えば、白色ＬＥＤ（Ｌｉｇｈｔ  Ｅｍｉｔｔｉｎｇ  Ｄｉｏｄｅ）である。複数の発光素子を備える場合は、発光素子が直列または並列に接続される。
【００２８】
第２光源２３０は、第１光色とは異なる第２光色を有する。第２光色は、例えば、相関色温度５０００ケルビン（寒色）である。なお、第２光源２３０の光色は、第１光源１３０の光色と同じであってもよい。第２光源２３０は、１つまたは複数の発光素子を含む。発光素子は、例えば、白色ＬＥＤである。複数の発光素子を備える場合は、発光素子が直列または並列に接続される。
【００２９】
制御部４０は、例えば、マイクロコンピューターである。制御部４０は、記憶部４２を有する。記憶部４２は、起動時の点灯状態を示す起動情報を記憶する。記憶部４２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、およびＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）を含む。
【００３０】
制御部４０は、第１スイッチ１１０および第２スイッチ２１０の少なくとも一方が導通するように制御する。具体的には、制御部４０は、第１スイッチ１１０のコイル１１２に電流を流し、第２スイッチ２１０のコイル２１２に電流を流さないことによって、第１スイッチ１１０のみが導通するように制御する。一方、制御部４０は、第２スイッチ２１０のコイル２１２に電流を流し、第１スイッチ１１０のコイル１１２に電流を流さないことによって、第２スイッチ２１０のみが導通するように制御する。また、制御部４０は、第１スイッチ１１０のコイル１１２に電流を流し、第２スイッチ２１０のコイル２１２に電流を流すことによって、第１スイッチ１１０および第２スイッチ２１０が導通するように制御する。本明細書において、第１スイッチ１１０のみが導通する状態を第１導通状態、第２スイッチ２１０のみが導通する状態を第２導通状態、第１スイッチ１１０および第２スイッチ２１０が導通する状態を第３導通状態と記載することがある。
【００３１】
制御部４０は、所定の切替操作に基づいて、第１スイッチ１１０および第２スイッチ２１０の少なくとも一方が導通するように制御する。詳しくは、外部スイッチ５２によって電力の供給が一時的に停止された時間が所定時間範囲内であることを制御部４０が検知した際、第１スイッチ１１０および第２スイッチ２１０の導通状態を第１導通状態と、第２導通状態と、第３導通状態とのいずれかに切り替える。第１導通状態では、第１スイッチ１１０が導通する。第２導通状態では、第２スイッチ２１０が導通する。第３導通状態では、第１スイッチ１１０および第２スイッチ２１０が導通する。具体的には、外部スイッチ５２がオンの状態からオフの状態に切り替えられ、その後、所定時間範囲内にオンの状態に切り替えられた場合、制御部４０は、第１スイッチ１１０および第２スイッチ２１０を第１導通状態と第２導通状態と第３導通状態とのいずれかに切り替える。本明細書において、外部スイッチ５２がオンの状態からオフの状態に切り替えられ、所定時間範囲内にオンの状態に切り替えられる操作を、プルレス操作と記載することがある。所定時間は、例えば、１．５秒以下である。本実施形態では、プルレス操作（所定の切替操作）が行われる度に、第１導通状態、第２導通状態および第３導通状態の順に第１スイッチ１１０および第２スイッチ２１０の導通状態を繰り返し切り替える。
【００３２】
例えば、照明器具１０が第１導通状態である際、プルレス操作が行われることによって、制御部４０は、第１導通状態から第２導通状態に第１スイッチ１１０および第２スイッチ２１０の導通状態を切り替える。具体的には、照明器具１０が第１導通状態である際、プルレス操作が行われることによって、制御部４０は、第２スイッチ２１０のコイル２１２に電流を流す。さらに、制御部４０は、第１スイッチ１１０のコイル１１２に電流を流さないことによって、第２スイッチ２１０のみが導通するように第１スイッチ１１０および第２スイッチ２１０の導通状態を制御する。
【００３３】
一方、照明器具１０が第２導通状態である際、プルレス操作が行われることによって、制御部４０は、第２導通状態から第３導通状態に第１スイッチ１１０および第２スイッチ２１０の導通状態を切り替える。具体的には、照明器具１０が第２導通状態である際、プルレス操作が行われることによって、制御部４０は、第１スイッチ１１０のコイル１１２に電流を流す。さらに、制御部４０は、第２スイッチ２１０のコイル２１２に電流を流すことによって、第１スイッチ１１０および第２スイッチ２１０が導通するように第１スイッチ１１０および第２スイッチ２１０の導通状態を制御する。
【００３４】
また、照明器具１０が第３導通状態である際、プルレス操作が行われることによって、制御部４０は、第３導通状態から第１導通状態に第１スイッチ１１０および第２スイッチ２１０の導通状態を切り替える。具体的には、照明器具１０が第３導通状態である際、プルレス操作が行われることによって、制御部４０は、第１スイッチ１１０のコイル１１２に電流を流す。さらに、制御部４０は、第２スイッチ２１０のコイル２１２に電流を流さないことによって、第１スイッチ１１０のみが導通するように第１スイッチ１１０および第２スイッチ２１０の導通状態を制御する。
【００３５】
電源投入時、すなわち照明器具１０を消灯から点灯に切り替えた際、制御部４０は、記憶部４２に記憶された起動情報に基づいて、第１スイッチ１１０および第２スイッチ２１０の少なくとも一方が導通するように第１スイッチ１１０および第２スイッチ２１０の導通状態を制御する。電源投入時に第１導通状態、第２導通状態および第３導通状態のいずれで第１スイッチ１１０および第２スイッチ２１０の導通状態を開始するかは、起動情報として予め設定されていてもよいし、前回消灯時の導通状態を起動情報として記憶しておき、前回消灯時の導通状態で開始するようにしてもよい。
【００３６】
このように、プルレス操作が行われるたびに、制御部４０は第１導通状態、第２導通状態および第３導通状態を切り替える。したがって、照明器具１０が点灯する光色を３つのパターンから選択することができる。
【００３７】
以上、図１を参照して説明したように、第１光源１３０は、第１直流電源１２６から供給される電流に基づいた光量で点灯する。また、第２光源２３０は、第２直流電源２２６から供給される電流に基づいた光量で点灯する。このように、照明器具１０は、各光源毎に電力供給部を有するため、各光源に対応した電力を供給することができる。したがって、本実施形態の照明器具１０では、定格電力（動作電力）が異なる２種類の光源を搭載することができるので、照明器具のバリエーションが広がる。例えば、第１光源１３０をＬＥＤとし、第２光源２３０を有機ＥＬ素子（ＯＬＥＤ（Ｏｒｇａｎｉｃ  Ｌｉｇｈｔ  Ｅｍｉｔｔｉｎｇ  Ｄｉｏｄｅ））とすることができる。
【００３８】
また、制御部４０は、所定の切替操作（プレレス操作）が行われる度に、第１導通状態、第２導通状態および第３導通状態の順に第１スイッチ１１０および第２スイッチ２１０の導通状態を繰り返し切り替える。したがって、３つのパターンの点灯状態を容易に切り替えることができる。
【００３９】
［実施形態２］
図２を参照して、本発明の実施形態２に係る照明器具１０について説明する。図２は、本発明の実施形態２に係る照明器具１０のブロック図である。第２光源２３０が交流電力で駆動する光源である点を除いて、実施形態２に係る照明器具１０と同様な構成を有するため、重複部分については説明を省略する。
【００４０】
照明器具１０は、第１スイッチ１１０と、第２スイッチ２１０と、第１電力供給部１２０と、第２電力供給部２２０と、第１光源１３０と、第２光源２３０と、制御部４０とを備える。第２電力供給部２２０は、配線ｎ１と、配線ｎ２とを有する。
【００４１】
本実施形態では、第１光源１３０は、直流電力で駆動するＬＥＤモジュールである。第２光源２３０は、交流電力で駆動するＬＥＤ電球である。ＬＥＤ電球は、交流電力を直流電力に変換する電源回路と、電源回路から直流電力が供給されることにより点灯するＬＥＤ素子とを内蔵している。第２スイッチ２１０は、配線ｎ１を介して第２光源２３０に接続される。第２光源２３０は、配線ｎ２を介して交流電源５４に接続される。第２電力供給部２２０は、例えばＬＥＤランプを装着可能なソケットである。配線ｎ１および配線ｎ２は、例えばソケットに備わる配線および口金である。
【００４２】
第１スイッチ１１０が導通した際、第１光源１３０には、直流電力が供給される。直流電力は、交流電源５４からの交流電力を第１電力供給部１２０で変換することによって生成される。第２スイッチ２１０が導通した際、第２光源２３０には、交流電源５４からの交流電力が配線ｎ１および配線ｎ２を介して供給される。
【００４３】
以上、図２を参照して説明したように、照明器具１０は、第１電力供給部１２０の前段に第１スイッチ１１０を備える。また、照明器具１０は、第２電力供給部２２０の前段に第２スイッチ２１０を備える。したがって、各光源に対応した電力を供給することができる。したがって、照明器具１０は、異なる２種類の駆動方式の光源を点灯させることができ、照明器具のバリエーションが広がる。また、第２光源２３０をＬＥＤ電球のように容易に交換可能な光源とすることにより、光源を交換するだけで輝度、相関色温度、配光角度などを容易に変更することができる。
【００４４】
［実施形態３］
図３を参照して、本発明の実施形態３に係る照明器具１０について説明する。図３は、本発明の実施形態３に係る照明器具１０のブロック図である。照明器具１０が受信部５０をさらに備える点を除いて、実施形態１に係る照明器具１０と同様な構成を有するため、重複部分については説明を省略する。
【００４５】
照明器具１０は、第１スイッチ１１０と、第２スイッチ２１０と、第１電力供給部１２０と、第２電力供給部２２０と、第１光源１３０と、第２光源２３０と、制御部４０と、受信部５０とを備える。
【００４６】
受信部５０は、リモートコントローラ５６からの点灯状態切替信号を受信する。本実施形態では受信部５０とリモートコントローラ５６とは、赤外線や電波などを介した無線通信が可能である。受信部５０は、制御部４０と電気的に接続される。具体的には、リモートコントローラ５６において点灯状態の変更を示す操作が行われた際、リモートコントローラ５６から点灯状態切替信号が送信される。受信部５０が点灯状態切替信号を受信すると、制御部４０に点灯状態切替信号が出力される。制御部４０は、点灯状態切替信号に基づいて、切替操作が行われたかを判定する。制御部４０は、切替操作が行われたと判定した場合、第１スイッチ１１０および第２スイッチ２１０の導通状態を、第１導通状態、第２導通状態および第３導通状態の順に切り替える。
【００４７】
以上、図３を参照して説明したように、照明器具１０は、受信部５０をさらに備える。したがって、リモートコントローラ５６を操作して点灯状態を容易に切り替えることができる。
【００４８】
［実施形態４］
図１および図４を参照して、本発明の実施形態４に係る照明システム３００について説明する。図４は、本発明の実施形態４に係る照明システム３００のブロック図である。第１照明器具１０ａ、第２照明器具１０ｂおよび第３照明器具１０ｃは実施形態１に係る照明器具１０と同様な構成を有する。
【００４９】
照明システム３００は、第１照明器具１０ａ、第２照明器具１０ｂ、第３照明器具１０ｃおよび外部スイッチ５２を備える。第１照明器具１０ａ、第２照明器具１０ｂ、第３照明器具１０ｃのそれぞれは、第１スイッチ１１０と、第２スイッチ２１０と、第１電力供給部１２０と、第２電力供給部２２０と、第１光源１３０と、第２光源２３０と、制御部４０とを備える（図１参照）。
【００５０】
第１照明器具１０ａ、第２照明器具１０ｂおよび第３照明器具１０ｃは、交流電源５４および外部スイッチ５２に対して並列に接続されている。外部スイッチ５２のプルレス操作を行うことによって、第１照明器具１０ａ、第２照明器具１０ｂおよび第３照明器具１０ｃの点灯状態を同時に切り替えることができる。通常の使用形態としては、第１照明器具１０ａ、第２照明器具１０ｂおよび第３照明器具１０ｃの点灯状態は、全て同じ状態とする。例えば、初期状態において第１照明器具１０ａ、第２照明器具１０ｂおよび第３照明器具１０ｃが全て第１導通状態で第１光源１３０が点灯しているときに、外部スイッチ５２をプルレス操作すると、第１照明器具１０ａ、第２照明器具１０ｂおよび第３照明器具１０ｃが全て第２導通状態に切り替わり第２光源２３０が点灯する。プルレス操作により第２導通状態から第３導通状態に切り替える際、第３導通状態から第１導通状態に切り替える際も同様に、第１照明器具１０ａ、第２照明器具１０ｂおよび第３照明器具１０ｃの点灯状態が全て同時に切り替わる。これにより、例えば１つの居室内に設置された第１照明器具１０ａ、第２照明器具１０ｂおよび第３照明器具１０ｃの点灯状態を、１つの外部スイッチ５２のプルレス操作で同時に切り替えることができる。
【００５１】
ここで、第１照明器具１０ａ、第２照明器具１０ｂおよび第３照明器具１０ｃのそれぞれに備わる制御部４０に、プルレス操作の検出精度にバラツキがある場合がある。つまり、制御部４０において、外部スイッチ５２によって電力の供給が一時的に停止された時間の検出精度に、バラツキがある場合がある。例えば、外部スイッチ５２をオフ操作してからオン操作するまでの時間（オフ−オン時間）が１秒である場合、第１照明器具１０ａの制御部４０はプルレス操作されたと判断し第１スイッチ１１０および第２スイッチ２１０を制御するが、第２照明器具１０ｂの制御部４０はプルレス操作されたと判断せず、第１スイッチ１１０および第２スイッチ２１０を制御しない場合がある。これは、各照明器具の制御部４０のオフ−オン時間の検出精度にバラツキがあるためである。したがって、第１照明器具１０ａが第１導通状態から第２導通状態に切り替わり第２光源２３０が点灯し、第２照明器具１０ｂが第１導通状態のままで第１光源１３０が点灯する状態になる。すなわち、照明器具の点灯状態に不一致が生じることとなる。
【００５２】
照明器具の点灯状態に不一致が生じてしまうと、以降のプルレス操作では点灯状態の不一致を維持したまま各照明器具の点灯状態が順次切り替わってしまうため、元の点灯状態（全ての照明器具が同じ点灯状態）に復帰させることは極めて困難である。また、外部スイッチ５２をオフ操作して全ての照明器具を消灯状態にしても、各照明器具の記憶部４２が消灯直前の導通状態を記憶しているため、外部スイッチ５２を次回オンにしたときの点灯状態は不一致のままである。
【００５３】
このような照明器具の点灯状態の不一致が発生した場合、照明システム３００の点灯状態の初期化が必要となる。本実施形態の制御部４０は初期化機能を有する。「初期化」とは、外部スイッチ５２に接続された各照明器具に含まれる第１スイッチ１１０および第２スイッチ２１０の導通状態を一致させることをいう。
【００５４】
図１、図４、図５および図６（ａ）を参照して、照明システム３００の点灯状態の初期化について説明する。図５は、本発明の実施形態４に係る照明システム３００の初期化方法を示すフローチャートである。図６（ａ）および図６（ｂ）は、照明システム３００の入力電圧を示すタイムチャートである。
【００５５】
照明システム３００において、第１照明器具１０ａ、第２照明器具１０ｂおよび第３照明器具１０ｃの点灯状態を初期化できることが好ましい。第１照明器具１０ａ、第２照明器具１０ｂおよび第３照明器具１０ｃのそれぞれの制御部４０は、記憶部４２を有する。記憶部４２は、起動時の点灯状態を示す起動情報を記憶する。制御部４０は、プルレス操作（切替操作）の回数を示すプルレス回数（切替回数）をカウントする。制御部４０は、タイマーを備え、プルレス操作が行われてからの外部スイッチ５２が導通している時間を示す外部スイッチ導通時間Ｔ１を計時する。制御部４０が外部スイッチ導通時間Ｔ１が連続判定期間以内であり、かつプルレス操作が行われたと判定した場合、制御部４０はプルレス回数のカウント値を１つ増加する。制御部４０は、プルレス回数が所定の連続回数以上であるか否かに基づいて、初期化操作が行われたか否かを判定する。制御部４０は、初期化操作が行われたと判定した場合、記憶部４２に記憶された起動情報に基づいて、第１スイッチ１１０および第２スイッチ２１０の少なくとも一方が導通するように制御する。すなわち、制御部４０は、初期化操作が行われたと判定した場合、所定の点灯状態になるように制御する。
【００５６】
以上、照明システム３００の点灯状態の初期化について説明した。以下、図１、図４および図５を参照して照明システム３００の点灯状態の初期化方法を説明する。図５は、本発明の実施形態４に係る照明システム３００の初期化方法を示すフローチャートである。ステップＳ１０２〜ステップＳ１２２の処理が実行されることによって照明システム３００の初期化が行われる。
【００５７】
ステップＳ１０２：制御部４０は、プルレス操作が行われたか否かを判定する。具体的には、外部スイッチ５２が導通（ＯＮ）から非導通（ＯＦＦ）に操作されてから所定時間内に、外部スイッチ５２が操作されて外部スイッチ５２が非導通（ＯＦＦ）から導通（ＯＮ）に切り替えられるか否かを判定する。制御部４０が、プルレス操作が行われたと判定した場合（ステップＳ１０２：ＹＥＳ）、処理はステップＳ１０４に進む。制御部４０が、プルレス操作が行われなかったと判定した場合（ステップＳ１０２：ＮＯ）、処理は再びステップＳ１０２に戻り、プルレス操作が行われるまでステップＳ１０２の処理を繰り返す。
【００５８】
ステップＳ１０４：制御部４０のタイマーが計時を開始する。処理はステップＳ１０６に進む。
【００５９】
ステップＳ１０６：制御部４０は、プルレス回数のカウント値ｎを１つ増加し、プルレス回数のカウント値ｎは「１回」となる。処理はステップＳ１０８に進む。
【００６０】
ステップＳ１０８：制御部４０は、プルレス操作が行われてから連続判定期間Ｔを経過したか否かを判定する。具体的には、制御部４０は、外部スイッチ導通時間Ｔ１と連続判定期間Ｔとを比較し、外部スイッチ導通時間Ｔ１が連続判定期間Ｔを超えるか否かを判定する。制御部４０が、プルレス操作が行われてから連続判定期間Ｔを経過したと判定した場合（ステップＳ１０８：ＹＥＳ）、処理はステップＳ１１２に進む。制御部４０が、プルレス操作が行われてから連続判定期間Ｔを経過していない判定した場合（ステップＳ１０８：ＮＯ）、処理はステップＳ１１０に進む。
【００６１】
ステップＳ１１０：制御部４０が、プルレス操作が行われたと判定する。処理はステップＳ１１４に進む。
【００６２】
ステップＳ１１２：制御部４０は、タイマーをリセットする。すなわち、計時時間を「０」にする。また、制御部４０は、プルレス回数のカウントをリセットする。すなわち、制御部４０は、プルレス回数のカウントを「０回」にする。処理はステップＳ１０２に戻る。
【００６３】
ステップＳ１１４：制御部４０は、タイマーをリセットする。すなわち、タイマーの計時時間を「０」にする。処理はステップＳ１１６に進む。
【００６４】
ステップＳ１１６：タイマーが再び計時時間０から計時をスタートする。処理はステップＳ１１８に進む。
【００６５】
ステップＳ１１８：制御部４０は、プルレス回数のカウントアップを行う。すなわち、制御部４０は、プルレス回数のカウント値ｎを１つ増加し、プルレス回数のカウント値ｎは「ｎ回」から「ｎ＋１回」となる。処理はステップＳ１２０に進む。
【００６６】
ステップＳ１２０：制御部４０は、プルレス回数のカウント値ｎと所定の連続回数とを比較し、プルレス回数のカウント値ｎが所定の連続回数以上であるか否かを判定する。ここでは、所定の連続回数は「５回」である。制御部４０は、プルレス回数のカウント値ｎが５回以上であるか否かを判定する。制御部４０が、プルレス回数のカウント値ｎが所定の連続回数以上でないと判定した場合（ステップＳ１２０：ＮＯ）、処理はステップＳ１０８に戻る。制御部４０が、プルレス回数のカウント値ｎが所定の連続回数以上であると判定した場合（ステップＳ１２０：ＹＥＳ）、処理はステップＳ１２２に進む。
【００６７】
ステップＳ１２２：制御部４０が、プルレス回数のカウント値ｎが所定の連続回数以上であると判定した場合（ステップＳ１２０：ＹＥＳ）、制御部４０は初期化を行う。具体的には、制御部４０は、起動情報に基づいて、第１スイッチ１１０のみが導通するように制御し、第１光源１３０のみが点灯するように制御する。したがって、第１照明器具１０ａ、第２照明器具１０ｂおよび第３照明器具１０ｃは、全て同一の初期化機能を有する制御部４０を備えているため、第１照明器具１０ａ、第２照明器具１０ｂおよび第３照明器具１０ｃの全てにおいて、第１光源１３０のみが点灯する。つまり、第１照明器具１０ａ、第２照明器具１０ｂおよび第３照明器具１０ｃの点灯状態が一致する。また、制御部４０は、プルレス回数のカウント値ｎが所定の連続回数以上であると判定した場合（ステップＳ１２０：ＹＥＳ）、制御部４０は、プルレス回数のカウント値をリセットし「０回」にする。さらに、制御部４０は、タイマーのカント値をリセットし「０」にする。処理はステップＳ１０２に戻る。
【００６８】
以上、照明システム３００の点灯状態の初期化方法について説明した。以下、図５および図６（ａ）を参照して照明システム３００の点灯状態の初期化の一例を説明する。図６（ａ）は、照明システム３００の第１照明器具１０ａ、第２照明器具１０ｂおよび第３照明器具１０ｃの入力電圧を示すタイムチャートである。
【００６９】
本実施形態では、プルレス操作が行われたか否かの判定の時間（所定時間）は、一例として１．５秒である。所定の連続回数は一例として５回である。連続判定期間Ｔは、一例として３秒である。起動情報は、第１光源１３０のみ点灯する点灯状態を示す。所定の連続回数および連続判定期間Ｔの設定は、例えば、記憶部４２に記憶されている。制御部４０は、タイマーを備え、プルレス操作が行われてから外部スイッチ５２が導通している時間を示す外部スイッチ導通時間Ｔ１を計時する。
【００７０】
時刻ｔ１〜ｔ２、時刻ｔ３〜時刻ｔ４、時刻ｔ５〜時刻ｔ６、時刻ｔ７〜時刻ｔ８および時刻ｔ９〜時刻ｔ１０の時間は、それぞれ例えば１秒である。時刻ｔ２〜時刻ｔ３、時刻ｔ４〜時刻ｔ５、時刻ｔ６〜時刻ｔ７、時刻ｔ８〜時刻ｔ９の外部スイッチ導通時間Ｔ１は、それぞれ例えば２秒である。
【００７１】
時刻ｔ１において、外部スイッチ５２が操作されて外部スイッチ５２が導通（ＯＮ）から非導通（ＯＦＦ）に切り替えられると、交流電源５４から第１照明器具１０ａ、第２照明器具１０ｂおよび第３照明器具１０ｃへの交流電力が遮断される。
【００７２】
時刻ｔ２において、時刻ｔ１から所定時間内（すなわち時刻ｔ１から１．５秒以内）に、外部スイッチ５２が操作されて外部スイッチ５２が非導通（ＯＦＦ）から導通（ＯＮ）に切り替えられると、制御部４０は、プルレス操作が行われたと判定する（図５のステップＳ１０２：ＹＥＳ）。制御部４０がプルレス操作が行われたと判定したことによって、制御部４０のタイマーが計時を開始する（図５のステップＳ１０４）。また、制御部４０はプルレス回数のカウント値を１つ増加し、プルレス回数のカウント値は「１回」となる（図５のステップＳ１０６）。
【００７３】
時刻ｔ３〜時刻ｔ４において、時刻ｔ１〜時刻ｔ２と同様に、制御部４０は、プルレス操作が行われたと判定する（図５のステップＳ１１０）。外部スイッチ導通時間Ｔ１、すなわち時刻ｔ２〜時刻ｔ３の時間が２秒であり、連続判定期間Ｔの３秒以内である。したがって、時刻ｔ４において、制御部４０はプルレス回数のカウント値を１つ増加し、プルレス回数のカウント値は「２回」となる（図５のステップＳ１１８）。
【００７４】
時刻ｔ３〜時刻ｔ４と同様に、時刻ｔ５〜時刻ｔ６、時刻ｔ７〜時刻ｔ８、および時刻ｔ９〜時刻ｔ１０においても、連続判定期間Ｔの３秒以内にプルレス操作（図５のステップＳ１１０）が行われるため、プルレス回数のカウント値は、時刻ｔ６において「３回」、時刻ｔ８において「４回」、時刻ｔ１０において「５回」とカウントされる（図５のステップＳ１１８）。
【００７５】
時刻ｔ１０において、プルレス回数のカウント値が「５回」となる。したがって、プルレス回数のカウント値が所定の連続回数以上になるため、制御部４０は初期化操作が行われたと判定する（図５のステップＳ１２０：ＹＥＳ）。
【００７６】
制御部４０は、初期化操作が行われたと判定した場合（図５のステップＳ１２０：ＹＥＳ）、起動情報に基づいて、第１スイッチ１１０のみが導通するように制御し、第１光源１３０のみが点灯するように制御する。したがって、第１照明器具１０ａ、第２照明器具１０ｂおよび第３照明器具１０ｃは、全て同一の初期化機能を有する制御部４０を備えているため、第１照明器具１０ａ、第２照明器具１０ｂおよび第３照明器具１０ｃの全てにおいて、第１光源１３０のみが点灯する。つまり、第１照明器具１０ａ、第２照明器具１０ｂおよび第３照明器具１０ｃの点灯状態が一致する。また、制御部４０は、初期化操作が行われたと判定した場合（図５のステップＳ１２０：ＹＥＳ）、制御部４０は、プルレス回数のカウント値をリセットし「０回」にする。
【００７７】
以上、図１、図４、図５および図６（ａ）を参照して説明したように、照明システム３００において、制御部４０は、初期化操作が行われたと判定した場合、記憶部４２に記憶された起動情報に基づいて、第１スイッチ１１０および第２スイッチ２１０の少なくとも一方が導通するように制御する。すなわち、制御部４０は、初期化操作が行われたと判定した場合、所定の点灯状態になるように制御する。したがって、万が一、第１照明器具１０ａ、第２照明器具１０ｂおよび第３照明器具１０ｃの点灯状態が異なっていたとしても、初期化操作をすることによって、第１照明器具１０ａ、第２照明器具１０ｂおよび第３照明器具１０ｃ全ての点灯状態を合わせることができる。
【００７８】
照明システム３００の点灯状態の初期化の変形例について説明する。照明システム３００において、第１照明器具１０ａ、第２照明器具１０ｂおよび第３照明器具１０ｃのそれぞれの制御部４０は、記憶部４２を有する。記憶部４２は、起動時の点灯状態を示す起動情報を記憶する。制御部４０は、外部スイッチ５２の非導通から導通への切り替えが初期化判定期間内に所定の回数行われたか否かに基づいて、初期化操作が行われたか否かを判定する。制御部４０は、初期化操作が行われたと判定した場合、記憶部４２に記憶された起動情報に基づいて、第１スイッチ１１０および第２スイッチ２１０の少なくとも一方が導通するように制御する。すなわち、制御部４０は、初期化操作が行われたと判定した場合、所定の点灯状態になるように制御する。各照明器具の記憶部４２に記憶された起動情報は、起動時に接続するスイッチが全て同じスイッチに設定されているため、各照明器具の起動時に導通するスイッチは各照明器具において全て同じである。
【００７９】
以上、照明システム３００の点灯状態の初期化の変形例について説明した。以下、図６（ｂ）を参照して照明システム３００の点灯状態の初期化の変形例を具体的に説明する。図６（ｂ）は、照明システム３００の第１照明器具１０ａ、第２照明器具１０ｂおよび第３照明器具１０ｃの入力電圧を示すタイムチャートである。
【００８０】
本実施形態では、所定の回数は一例として５回である。初期化判定期間Ｔ２は、一例として１５秒である。起動情報は、第１光源１３０のみ点灯する点灯状態を示す。所定の回数および初期化判定期間Ｔ２の設定は、例えば、記憶部４２に記憶されている。制御部４０は、タイマーを備え、外部スイッチ５２が導通（ＯＮ）から非導通（ＯＦＦ）に切り替えてからの経過時間を計時する。
【００８１】
時刻ｔ１において、外部スイッチ５２が操作されて外部スイッチ５２が導通（ＯＮ）から非導通（ＯＦＦ）に切り替えられると、交流電源５４から第１照明器具１０ａ、第２照明器具１０ｂおよび第３照明器具１０ｃへの交流電力が遮断される。
【００８２】
時刻ｔ２において外部スイッチ５２が操作されて外部スイッチ５２が非導通（ＯＦＦ）から導通（ＯＮ）に切り替えられると、交流電源５４から第１照明器具１０ａ、第２照明器具１０ｂおよび第３照明器具１０ｃに交流電力供給される。
【００８３】
時刻ｔ１と同様に、時刻ｔ３、時刻ｔ５、時刻ｔ７および時刻ｔ９において、外部スイッチ５２が操作されて外部スイッチ５２が導通（ＯＮ）から非導通（ＯＦＦ）に切り替えられると、交流電源５４から第１照明器具１０ａ、第２照明器具１０ｂおよび第３照明器具１０ｃへの交流電力が遮断される。
【００８４】
時刻ｔ２と同様に、時刻ｔ４、時刻ｔ６、時刻ｔ８および時刻ｔ１０において、外部スイッチ５２が操作されて外部スイッチ５２が非導通（ＯＦＦ）から導通（ＯＮ）に切り替えられると、交流電源５４から第１照明器具１０ａ、第２照明器具１０ｂおよび第３照明器具１０ｃに交流電力が供給される。
【００８５】
初期化判定期間Ｔ２は、時刻ｔ１から始まる。制御部４０は、時刻ｔ１から時刻ｔ１１の初期化判定期間Ｔ２（すなわち、１５秒の間）に、外部スイッチ５２の非導通から導通への切り替えが所定の回数（すなわち、５回）行われた否かを判定する。外部スイッチ５２の非導通から導通への切り替えが、時刻ｔ２、時刻ｔ４、時刻ｔ６、時刻ｔ８および時刻ｔ１０の合計５回行われているため、制御部４０は初期化操作が行われたと判定する。
【００８６】
制御部４０は、初期化操作が行われたと判定した場合、起動情報に基づいて、第１スイッチ１１０のみが導通するように制御し、第１光源１３０のみが点灯するように制御する。したがって、第１照明器具１０ａ、第２照明器具１０ｂおよび第３照明器具１０ｃは、全て同一の初期化機能を有する制御部４０を備えているため、第１照明器具１０ａ、第２照明器具１０ｂおよび第３照明器具１０ｃの全てにおいて、第１光源１３０のみが点灯する。つまり、第１照明器具１０ａ、第２照明器具１０ｂおよび第３照明器具１０ｃの点灯状態が一致する。
【００８７】
一方、制御部４０は、初期化判定期間Ｔ２（すなわち、１５秒の間）に外部スイッチ５２の非導通から導通への切り替えが所定の回数（すなわち、５回）行われなかった場合、初期化は行わず、初期化判定期間Ｔ２が経過した時点でタイマーをリセットする。制御部４０は、タイマーリセット後、次の外部スイッチ５２の導通から非導通への切り替え操作のタイミングからタイマーが計時を開始する。
【００８８】
以上、図１、図４および図６（ｂ）を参照して説明したように、照明システム３００において、制御部４０は、初期化操作が行われたと判定した場合、記憶部４２に記憶された起動情報に基づいて、第１スイッチ１１０および第２スイッチ２１０の少なくとも一方が導通するように制御する。したがって、万が一、第１照明器具１０ａ、第２照明器具１０ｂおよび第３照明器具１０ｃの点灯状態が異なっていたとしても、初期化操作をすることによって、第１照明器具１０ａ、第２照明器具１０ｂおよび第３照明器具１０ｃ全ての点灯状態を合わせることができる。
【００８９】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００９０】
（１）実施形態１および実施形態３では、第１光源１３０と第２光源２３０とが色温度が異なる形態、実施形態２では、第１光源１３０と第２光源２３０とが駆動方式が異なる形態を説明したがこれに限定されない。例えば、第１光源１３０と第２光源２３０とは位置が異なってもよい。
【００９１】
（２）実施形態４では、所定の連続回数が５回であったが、これに限定されない。例えば、所定の連続回数は６回以上であってもよい。
【００９２】
（３）実施形態４の変形例では、照明システム３００において、制御部４０は、外部スイッチ５２の非導通から導通への切り替えが初期化判定期間内に５回行われたか否かに基づいて、初期化操作が行われたか否かを判定していたが、これに限定されない。例えば、外部スイッチ５２の非導通から導通への切り替えが初期化判定期間内に６回以上行われたか否かに基づいて、初期化操作が行われたか否かを判定してもよい。
【００９３】
（４）実施形態１〜４では、第１スイッチ１１０、第２スイッチ２１０、および制御部４０は、照明器具１０に一体的に備える構成としているが、照明器具１０に一体的に備えず、照明器具１０の第１電力供給部１２０および第２電力供給部２２０に対して独立した外部ユニットに備える構成としてもよい。その場合、外部ユニットは、交流電源５４と照明器具１０の第１電力供給部１２０および第２電力供給部２２０との間に接続される。
【００９４】
（５）実施形態１〜４では、制御部４０は、第１スイッチ１１０および第２スイッチ２１０の導通状態を第１導通状態、第２導通状態および第３導通状態のいずれかに切り替えていたが、第３導通状態が無くてもよい。例えば、制御部４０は、第１スイッチ１１０および第２スイッチ２１０の導通状態を第１導通状態および第２導通状態のいずれか一方に切り替えてもよい。
【符号の説明】
【００９５】
１０      照明器具
１０ａ    第１照明器具
１０ｂ    第２照明器具
１０ｃ    第３照明器具
４０      制御部
４２      記憶部
５０      受信部
５２      外部スイッチ
５４      交流電源
５６      リモートコントローラ
１１０    第１スイッチ
１２０    第１電力供給部
１２２    第１整流回路
１２４    第１平滑回路
１２６    第１直流電源
１３０    第１光源
２１０    第２スイッチ
２２０    第２電力供給部
２２２    第２整流回路
２２４    第２平滑回路
２２６    第２直流電源
２３０    第２光源
３００    照明システム
Ｔ１      外部スイッチ導通時間
Ｔ２      初期化判定期間
【図１】
0006534843.tif 000002
【図２】
0006534843.tif 000003
【図３】
0006534843.tif 000004
【図４】
0006534843.tif 000005
【図５】
0006534843.tif 000006
【図６】
0006534843.tif 000007